(57)【要約】【課題】携帯端末が有するスピーカなどを防犯用として併用すると共に、セット電源がＯＦＦ状態のときに、ユーザが緊急用の防犯スイッチをＯＮにすると即座に警報音を発音することができる携帯端末を提供する。【解決手段】セット電源がＯＦＦ状態では、入出力ポート１９の全てのポートは、ハイインピーダンスとなり、プルダウン抵抗２０によりＬｏｗレベルとなる。ハード動作許可Ｌ信号はＬｏｗ、すなわち、ＡＮＤゲート３６が開いてハード動作を許可する状態になる。そして、警報ＳＷ７がオンになると、ＡＮＤゲート３６出力がＨｉｇｈになり、ＡＮＤゲート３７が開き、発振器３４の点滅ｆを原振として警報ランプ５が点滅する。また、ＯＲゲート４５、４６出力が共にＨｉｇｈになって、スピーカドライバ４７は、発振器として設定され、高音Ａと高音Ｂが点滅ｆで切り替わる周波数でスピーカ８を警報鳴動する。【選択図】図１
2008205830.tif 000002
【特許請求の範囲】
【請求項１】
防犯スイッチと、ランプと、ハード制御手段と、ソフト制御手段と、前記ハード制御手段へ電力供給を行う第１の電源手段と、電源スイッチのオンにより前記ソフト制御手段への電力供給をオンにする第２の電源手段とを有する携帯端末であって、
前記ハード制御手段は、
前記ランプの駆動を行うランプ駆動回路と、
前記ソフト制御手段から受信したハード制御信号のハード動作許可状態を検出し、かつ、防犯スイッチのオンを検出した場合に、前記ランプ駆動回路を能動状態にして前記ランプを駆動させるランプ許可回路とを有し、
前記ソフト制御手段は、
プログラムを実行するプログラム実行手段を有し、
前記第２の電源手段から電力供給を受けていない場合および当該電力供給を受けてプログラムの実行可能となる以前の場合は、前記ハード制御信号をハード動作許可状態にして前記ハード制御手段によるランプ駆動に切り替え、
前記第２の電源手段から電力供給を受けてプログラムの実行可能後の場合は、プログラムの実行により、前記ハード制御信号をハード動作禁止状態にして前記ハード制御手段によるランプ駆動を禁止して当該ソフト制御手段によるランプ駆動に切り替え、防犯スイッチのオンを検出してランプ駆動を行う
ことを特徴とする携帯端末。
【請求項２】
防犯スイッチと、スピーカと、ハード制御手段と、ソフト制御手段と、前記ハード制御手段へ電力供給を行う第１の電源手段と、電源スイッチのオンにより前記ソフト制御手段への電力供給をオンにする第２の電源手段とを有する携帯端末であって、
前記ハード制御手段は、
鳴動用の音声周波数の発振機能を有するスピーカ駆動回路と、
前記ソフト制御手段から受信したハード制御信号のハード動作許可状態を検出し、かつ、防犯スイッチのオンを検出した場合に、前記スピーカ駆動回路を能動状態にして前記スピーカを駆動させるスピーカ許可回路とを有し、
前記ソフト制御手段は、
プログラムを実行するプログラム実行手段を有し、
前記第２の電源手段から電力供給を受けていない場合および当該電力供給を受けてプログラムの実行可能となる以前の場合は、前記ハード制御信号をハード動作許可状態にして前記ハード制御手段によるスピーカ駆動に切り替え、
前記第２の電源手段から電力供給を受けてプログラムの実行可能後の場合は、プログラムの実行により、前記ハード制御信号をハード動作禁止状態にして前記ハード制御手段によるスピーカ駆動を禁止して当該ソフト制御手段によるスピーカ駆動に切り替え、防犯スイッチのオンを検出して前記ハード制御信号を前記スピーカ駆動回路の能動状態にして前記スピーカ駆動回路を駆動してスピーカ駆動を行う
ことを特徴とする携帯端末。
【請求項３】
防犯スイッチと、スピーカと、ハード制御手段と、ソフト制御手段と、前記ハード制御手段へ電力供給を行う第１の電源手段と、電源スイッチのオンにより前記ソフト制御手段への電力供給をオンにする第２の電源手段とを有する携帯端末であって、
前記ハード制御手段は、
鳴動用の低音および高音の音声周波数の発振機能を有するスピーカ駆動回路と、
前記ソフト制御手段から受信したハード制御信号のハード動作許可状態を検出し、かつ、防犯スイッチのオンを検出した場合に、前記スピーカ駆動回路を能動状態にして前記スピーカを駆動させるスピーカ許可回路とを有し、
前記ソフト制御手段は、
プログラムを実行するプログラム実行手段を有し、
前記第２の電源手段から電力供給を受けていない場合および当該電力供給を受けてプログラムの実行可能となる以前の場合は、前記ハード制御信号をハード動作許可状態にして前記ハード制御手段によるスピーカ駆動に切り替え、
前記第２の電源手段から電力供給を受けてプログラムの実行可能後の場合は、プログラムの実行により、前記ハード制御信号をハード動作禁止状態にして前記ハード制御手段によるスピーカ駆動を禁止して当該ソフト制御手段によるスピーカ駆動に切り替え、防犯スイッチのオンを検出して前記ハード制御信号を所定時間だけ前記スピーカ駆動回路の低音の能動状態にし、その所定時間経過後に前記ハード制御信号を前記スピーカ駆動回路の高音の能動状態にして前記スピーカ駆動回路を駆動してスピーカ駆動を行う
ことを特徴とする携帯端末。
【請求項４】
防犯スイッチと、スピーカと、ハード制御手段と、ソフト制御手段と、前記ハード制御手段へ電力供給を行う第１の電源手段と、電源スイッチのオンにより前記ソフト制御手段への電力供給をオンにする第２の電源手段とを有する携帯端末であって、
前記ハード制御手段は、
鳴動用の音声周波数の発振機能および前記ソフト制御手段から受信した音源信号の増幅機能を有するスピーカ駆動回路と、
前記ソフト制御手段から受信したハード制御信号のハード動作肯定状態を検出し、かつ、防犯スイッチのオンを検出した場合に、前記スピーカ駆動回路の発振機能を選択して前記スピーカを駆動させるスピーカ許可回路とを有し、
前記ソフト制御手段は、
プログラムを実行するプログラム実行手段と前記音源信号を出力する音源回路とを有し、
前記第２の電源手段から電力供給を受けていない場合および当該電力供給を受けてプログラムの実行可能となる以前の場合は、前記ハード制御信号をハード動作許可状態にして前記ハード制御手段によるランプ駆動とスピーカ駆動に切り替え、
前記第２の電源手段から電力供給を受けてプログラムの実行可能後の場合は、プログラムの実行により、前記ハード制御信号をハード動作禁止状態にして前記ハード制御手段によるスピーカ駆動を禁止して当該ソフト制御手段によるスピーカ駆動に切り替え、防犯スイッチのオンを検出してランプ駆動および前記ハード制御信号を前記スピーカ駆動回路の発振機能選択状態にして前記スピーカ駆動回路を駆動してスピーカ駆動を行い、防犯スイッチのオフを検出して前記ハード制御信号を前記スピーカ駆動回路の増幅機能選択状態にして前記音源信号で前記スピーカ駆動回路を駆動してスピーカ駆動を行う
ことを特徴とする携帯端末。
【請求項５】
防犯スイッチと、ランプと、スピーカと、ハード制御手段と、ソフト制御手段と、前記ハード制御手段へ電力供給を行う第１の電源手段と、電源スイッチのオンにより前記ソフト制御手段への電力供給をオンにする第２の電源手段とを有する携帯端末であって、
前記ハード制御手段は、
ランプの点滅用の発振を行う点滅用発振器と、
前記点滅用発振器の周波数の整数分の１の第１信号により前記ランプを点滅駆動させるランプ駆動回路と、
前記点滅用発振器の周波数の整数分の１の第２信号により鳴動用の２種類の音声周波数の発振が切り替わり当該音声周波数でスピーカを駆動するスピーカ駆動回路と、
前記ソフト制御手段から受信したハード制御信号のハード動作許可状態を検出し、かつ、防犯スイッチのオンを検出した場合に、前記ランプ駆動回路および前記スピーカ駆動回路を能動状態にして前記ランプの駆動および前記スピーカの駆動を許可させる許可回路とを有し、
前記ソフト制御手段は、
プログラムを実行するプログラム実行手段を有し、
前記第２の電源手段から電力供給を受けていない場合および当該電力供給を受けてプログラムの実行可能となる以前の場合は、前記ハード制御信号をハード動作許可状態にして前記ハード制御手段によるランプ駆動とスピーカ駆動に切り替え、
前記第２の電源手段から電力供給を受けてプログラムの実行可能後の場合は、プログラムの実行により、前記ハード制御信号をハード動作禁止状態にして前記ハード制御手段によるランプ駆動とスピーカ駆動を禁止して当該ソフト制御手段によるランプ駆動とスピーカ駆動に切り替え、防犯スイッチのオンを検出してランプ駆動および前記ハード制御信号を前記スピーカ駆動回路の能動状態にして前記スピーカ駆動回路を駆動してスピーカ駆動を行う
ことを特徴とする携帯端末。
【請求項６】
前記点滅用発振器およびスピーカ駆動回路は、防犯スイッチがオン状態でウェイクアップすることを特徴とする請求項５に記載の携帯端末。
【発明の詳細な説明】
【技術分野】
【０００１】
本発明は、警報ランプ、警報アラームなどの防犯機能を有する携帯端末に関する。
【背景技術】
【０００２】
防犯機能を搭載した携帯端末がある（例えば、特許文献１参照。）。この携帯端末は、電源ＯＦＦ状態であっても、ユーザが防犯スイッチをＯＮにすると、警報音を発音することができる。具体的には、防犯スイッチ検出部は、防犯スイッチのＯＮを検出すると、携帯端末の電源をＯＮ状態にしてＣＰＵを起動する。そして、ＣＰＵは、防犯スイッチＯＮを認識して、警報音を発音すると共に、緊急連絡先に自動発呼し緊急メッセージを送信するものである。
【０００３】
防犯ベル機能付き携帯電話がある（例えば、特許文献２参照。）。この携帯電話は、通常の携帯電話に、防犯ベル装置部分を付加したものである。防犯ベル装置部分は、バッテリと防犯ベル操作スイッチとブザー駆動回路が直列接続されている。そして、ユーザが、防犯ベル操作スイッチを操作すると直列接続が形成されて、防犯ベルが鳴動する。
【特許文献１】特開２００６−２７０７２７号公報（第４〜６頁、図１、図３）
【特許文献２】特開平１１−２８４７１１号公報（第２頁、図４）
【発明の開示】
【発明が解決しようとする課題】
【０００４】
特許文献１の携帯端末は、ＣＰＵがプログラムにより、防犯スイッチＯＮの認識、警報音の発音、緊急メッセージの送信を行う。このプログラムは、携帯端末のメモリに格納されている。ところで、近年、携帯端末の機能増加に伴ってプログラムの量が増え、プログラム格納用の補助記憶メモリとして、ＮＡＮＤメモリが使われている。その場合、電源ＯＮ直後に、ＮＡＮＤメモリから主記憶メモリであるＲＡＭへプログラムをロードし、その後、ＣＰＵは、主記憶メモリ上でプログラムを実行する。このロード時間は、数秒〜１０秒以上掛かる。
【０００５】
このような補助記憶用にＮＡＮＤメモリが使われる携帯端末に、背景技術を適用すると、電源ＯＦＦ状態のときに、ユーザが緊急用の防犯スイッチをＯＮにしても、防犯ブザーが発音するのは、数秒〜１０秒以上掛かってしまうことになり、即座に警報音を発音することができないという問題がある。
【０００６】
特許文献２の携帯電話では、ユーザが非常時に防犯ベル操作スイッチを操作すると、即座に防犯ベルを鳴動することができる。しかし、この防犯ベル装置部分は、通常の携帯電話機能部分とは別に付加する必要があり、通常の携帯電話が有するスピーカなどを防犯ベル用として併用することについては記載がない。
【０００７】
本発明は、上記の問題点を解決するためになされたものであり、通常の携帯端末が有するスピーカなどを防犯用として併用すると共に、セット電源がＯＦＦ状態では、ユーザが緊急用の防犯スイッチをＯＮにすると即座に警報音を発音することができる携帯端末を提供することを目的とする。
【課題を解決するための手段】
【０００８】
上記目的を達成するために、本発明の携帯端末は、防犯スイッチと、ランプと、ハード制御手段と、ソフト制御手段と、前記ハード制御手段へ電力供給を行う第１の電源手段と、電源スイッチのオンにより前記ソフト制御手段への電力供給をオンにする第２の電源手段とを有する携帯端末であって、前記ハード制御手段は、前記ランプの駆動を行うランプ駆動回路と、前記ソフト制御手段から受信したハード制御信号のハード動作許可状態を検出し、かつ、防犯スイッチのオンを検出した場合に、前記ランプ駆動回路を能動状態にして前記ランプを駆動させるランプ許可回路とを有し、前記ソフト制御手段は、プログラムを実行するプログラム実行手段を有し、前記第２の電源手段から電力供給を受けていない場合および当該電力供給を受けてプログラムの実行可能となる以前の場合は、前記ハード制御信号をハード動作許可状態にして前記ハード制御手段によるランプ駆動に切り替え、前記第２の電源手段から電力供給を受けてプログラムの実行可能後の場合は、プログラムの実行により、前記ハード制御信号をハード動作禁止状態にして前記ハード制御手段によるランプ駆動を禁止して当該ソフト制御手段によるランプ駆動に切り替え、防犯スイッチのオンを検出してランプ駆動を行うことを特徴とする。
【０００９】
また、本発明の携帯端末は、防犯スイッチと、スピーカと、ハード制御手段と、ソフト制御手段と、前記ハード制御手段へ電力供給を行う第１の電源手段と、電源スイッチのオンにより前記ソフト制御手段への電力供給をオンにする第２の電源手段とを有する携帯端末であって、前記ハード制御手段は、鳴動用の音声周波数の発振機能を有するスピーカ駆動回路と、前記ソフト制御手段から受信したハード制御信号のハード動作許可状態を検出し、かつ、防犯スイッチのオンを検出した場合に、前記スピーカ駆動回路を能動状態にして前記スピーカを駆動させるスピーカ許可回路とを有し、前記ソフト制御手段は、プログラムを実行するプログラム実行手段を有し、前記第２の電源手段から電力供給を受けていない場合および当該電力供給を受けてプログラムの実行可能となる以前の場合は、前記ハード制御信号をハード動作許可状態にして前記ハード制御手段によるスピーカ駆動に切り替え、前記第２の電源手段から電力供給を受けてプログラムの実行可能後の場合は、プログラムの実行により、前記ハード制御信号をハード動作禁止状態にして前記ハード制御手段によるスピーカ駆動を禁止して当該ソフト制御手段によるスピーカ駆動に切り替え、防犯スイッチのオンを検出して前記ハード制御信号を前記スピーカ駆動回路の能動状態にして前記スピーカ駆動回路を駆動してスピーカ駆動を行うことを特徴とする。
【発明の効果】
【００１０】
本発明によれば、通常の携帯端末が有するスピーカなどを防犯用として併用すると共に、セット電源がＯＦＦ状態では、ユーザが緊急用の防犯スイッチをＯＮにすると即座に警報音を発音することが可能となる。
【発明を実施するための最良の形態】
【００１１】
図１は、本発明の実施例に係る携帯端末の関連部分のブロック図である。携帯端末１００は、電池１、常時電源２、セット電源３、セット電源ＳＷ４、警報ランプ５、抵抗６、警報ＳＷ７、スピーカ８、ソフト制御部９、ハード制御部１０などにより構成される。
【００１２】
電池１は、リチウム電池などの２次電池であり、常時電源２、セット電源３を経由して、各部へ電力を供給する。常時電源２は、ユーザによるセット電源スイッチ４のオンオフに関係なく常時、ハード制御部１０などへ安定化電力を供給する。したがって、ハード制御部１０は常時動作可能である。
【００１３】
セット電源３は、通常は出力がオフであるが、ユーザによりセット電源スイッチ４がオン操作されると、それを検出して、安定化電力をセット電源として出力し、ソフト制御部９へ供給する。したがって、ソフト制御部９は、ユーザによりセット電源スイッチ４がオン操作されてから動作可能となる。
【００１４】
警報ランプ５は、発光ＬＥＤなどであり、警報用の発光が行われる。抵抗６は、警報ランプ５の電流値を決めるものである。警報ＳＷ７は、ユーザにより緊急時に操作される警報用のスイッチである。スピーカ８は、警報アラームの鳴動や音楽再生や音声再生に使われる。ソフト制御部９およびハード制御部１０は、ユーザにより警報ＳＷ７の操作が行われると、それぞれが単独で、警報用の発光および警報アラームの鳴動などを制御する。
【００１５】
（ソフト制御部９）
次に、ソフト制御部９について説明する。ソフト制御部９は、さらに、アンテナ１１、通信部１２、表示部１３、入力部１４、ＮＡＮＤ（ＮＡＮＤフラッシュメモリ）１５、ＲＡＭ１６、制御部１７、音源部１８、入出力ポート１９、抵抗２０、トランジスタ２１などにより構成される。
【００１６】
アンテナ１１は、基地局（図示せず）との間で電波の送受信を行う。通信部１２は、無線信号の送受信、増幅、変調復調などの処理を行う。表示部１３は、各種表示出力用であり、ＬＣＤなどで構成される。入力部１４は、各種キー操作用の入力手段である。
【００１７】
ＮＡＮＤ１５は、補助記憶メモリであり、不揮発性のＮＡＮＤフラッシュメモリを使用する。ＮＡＮＤ１５には、動作プログラムやその他の情報が記憶される。ＲＡＭ１６は、プログラム実行用の主記憶メモリなどの用途である。
【００１８】
制御部１７は、ＣＰＵやコントローラなどを有して、他の構成要素部分を制御し、携帯端末１００の主な機能を実行する。セット電源３から電源供給された直後に、ＮＡＮＤ１５からＲＡＭ１６へ動作プログラムが数秒間かけてロードされ、その後、ＲＡＭ１６を主記憶メモリとしてＣＰＵによるソフトウェアが実行可能となる。  
音源部１８は、音楽や音声などの処理を行い、その信号をハード制御部１０へ送出する。
【００１９】
入出力ポート１９は、ハード制御部１０などとの間の汎用入出力ポートであり、ソフトウェアにより制御される。各ポート名は信号名で表している。警報ＳＷ検出Ｈは入力ポートであり、他のポートは出力ポートである。
【００２０】
出力ポートのランプオンＨは、ソフトウェアによりオンオフ制御されて、トランジスタ２１をオンオフして、警報ランプ５を点滅させて、警報を発する。なお、警報ランプ５の点滅は、後述のハード制御部１０もハード処理単独で行うことができ、トランジスタ２１にワイヤードＯＲ接続されているトランジスタ３８をオンオフして、警報ランプ５を点滅させる。
【００２１】
出力ポートの制御１と制御２は、この両信号の組み合わせにより、ハード制御部１０のスピーカドライバ４７を複数通りに制御して、スピーカ８から警報アラームや音声信号などを鳴動させる。なお、警報アラームは、後述のハード制御部１０もハード単独で行うことができ、スピーカドライバ４７を制御して、スピーカ８から警報アラームを鳴動させる。
【００２２】
出力ポートの予鈴低音選択Ｈは、ハード制御部１０を制御して、警報アラームの鳴り始めの短時間、例えば１．５秒間のみ予鈴として低音の警報アラームを鳴動させるものである。  
出力ポートのハード動作許可Ｌは、ハード制御部１０の単独動作による警報ランプ点滅および警報アラームを許可するものである。
【００２３】
各ポート名は、上述したように信号名で表しているが、この信号名の意味は、例えば、警報ＳＷ検出Ｈの末尾のＨは、Ｈｉｇｈレベルで、信号名の警報ＳＷ検出の肯定状態（オン状態）、すなわち、警報スイッチ検出がオン状態にあることを意味する。警報ＳＷ検出ＨがＬｏｗレベルであれば、その否定状態（オフ状態）、すなわち、警報スイッチ検出がオフ状態にあることを意味する。出力ポートのランプオンＨは、Ｈｉｇｈレベルでランプオンになり、Ｌｏｗレベルでランプオンの否定のランプオフすることを意味する。ハード動作許可Ｌは、Ｌｏｗレベルでハード動作許可の状態にあることを意味する。他も同様である。ただし、出力ポートの制御１、制御２は、両信号の組み合わせで、３通りの意味を持たせる。
【００２４】
全ての出力ポートの出力レベルは、入出力ポート１９に電源が供給されていない状態および電源供給された直後のＮＡＮＤ１５からＲＡＭ１６へ動作プログラムが数秒間かけてロード中のソフトウェア実行不可能状態では、ＨｉＺ状態（ハイインピーダンス）であり、プルダウン用の抵抗２０により、Ｌｏｗレベルになる。すなわち、ハード動作許可Ｌおよび制御１、制御２はＬｏｗレベルになり、ハード動作許可の状態にあり、ハード制御部１０の単独動作による警報ランプ点滅および警報アラームが許可された状態になる。
【００２５】
（ハード制御部１０）
次に、ハード制御部１０について説明する。ハード制御部１０は、さらに、抵抗３１、バッファゲート３２、発振器３４、分周回路３５、ＡＮＤゲート３６、ＡＮＤゲート３７、トランジスタ３８、インバータゲート３９、アナログスイッチ４０、アナログスイッチ４１、発振回路部４２、ＯＲゲート４５、ＯＲゲート４６、スピーカドライバ４７などにより構成される。このスピーカドライバ４７は、さらに、アナログスイッチ４８、アナログスイッチ４９、スピーカアンプ５０、デコーダ５２（選択部）などにより構成される。
【００２６】
ハード制御部１０は、ユーザによるセット電源スイッチ４のオン操作前、すなわち、ソフト制御部９が動作していない状態においても、ハード制御部１０へは、常時電源２から常時、電源供給を受けており、動作可能である。ただし、ハード制御部１０の不要な消費電流を減らすために、比較的消費電流の多い発振器３４とスピーカドライバ４７は、必要に応じてウェイクアップ状態になる。
【００２７】
ハード制御部１０の単独動作による警報を禁止または許可するのは、入出力ポート１９のハード動作許可Ｌ信号であり、この信号によりＡＮＤゲート３６を開閉することにより行われる。セット電源が入っていない状態では、ハード動作許可Ｌ信号はＬｏｗレベルであり、ハード動作が許可され、ＡＮＤゲート３６が開ける状態になり、ハード制御部１０の単独動作が許可される。
【００２８】
ハード制御部１０の内、警報ランプ５の点滅に関する部分は、発振器３４、分周回路３５、ＡＮＤゲート３７、トランジスタ３８などである。ユーザにより警報ＳＷ７がオン操作されると、バッファゲート３２出力の警報ＳＷ検出Ｈ信号が肯定状態、すなわち、Ｈｉｇｈレベルになり、発振器３４がスリープ状態（低消費電流）からウェイクアップ状態になって動作する。発振器３４は、ごく低周波数の発振を開始し、デジタルレベルの点滅ｆ信号を出力する。分周回路３５は、これを２分周して出力する。この出力は、警報ランプ５の点滅用であり、人間の目に点滅として認識される低周波数である。
【００２９】
ハード制御部１０の単独動作が許可、すなわち、ＡＮＤゲート３６が開ける状態にあり、かつ、警報ＳＷ７がオン操作されると、ＡＮＤゲート３６出力がＨｉｇｈとなり、ＡＮＤゲート３７が点滅ｆ信号の２分周の信号でトランジスタ３８をオンオフして、警報ランプ５が点滅する。
【００３０】
ハード制御部１０の内、スピーカ鳴動に関する部分は、アナログスイッチ４０、アナログスイッチ４１、発振回路部４２、ＯＲゲート４５、ＯＲゲート４６、スピーカドライバ４７などである。
【００３１】
このスピーカドライバ４７は、スピーカアンプ５０により、スピーカ８をドライブする。スピーカドライバ４７は、増幅回路または発振回路として動作する。また、動作させない場合には、シャットダウン制御が行われて消費電流を低減する。これらの切り替えは、ＯＲゲート４５出力とＯＲゲート４６出力の組み合わせにより決まる。
【００３２】
ＯＲゲート４５とＯＲゲート４６の入力は、一方は、入出力ポート１９の制御１、制御２であり、もう一方は、ＡＮＤゲート３６出力である。ソフト制御部９にセット電源が供給されていない場合には、制御１、制御２は全てＬｏｗレベルになり、ＯＲゲート４５とＯＲゲート４６の出力は、ハード制御部１０のＡＮＤゲート３６の出力により決まる。
【００３３】
また、ソフト制御部９にセット電源が供給されている場合には、ソフト制御部９がハード動作許可ＬをＨｉｇｈレベルにしてＡＮＤゲート３６出力をＬｏｗレベルにし、ＯＲゲート４５とＯＲゲート４６の出力は、ソフト制御部９の制御１、制御２により決まる。すなわち、ＯＲゲート４５とＯＲゲート４６は、スピーカドライバ４７を制御する入力情報として、ハード制御部１０かソフト制御部９かの選択回路として動作する。
【００３４】
ＯＲゲート４５出力とＯＲゲート４６出力の組み合わせにより、デコーダ５２がスピーカドライバ４７を制御する。それを符号５５として図示する。デコーダ５２は、ＯＲゲート４５出力とＯＲゲート４６出力が共にＬｏｗの場合はスピーカドライバ４７をシャットダウン状態にして、消費電流を低減する。この状態では、スピーカ８は鳴動しない。
【００３５】
ＯＲゲート４５出力とＯＲゲート４６出力が共にＨｉｇｈの場合は、デコーダ５２は、アナログスイッチ４８を接続状態にする。これにより、発振回路部４２出力からアナログスイッチ４１、４０、スピーカアンプ５０を経由してスピーカ８が鳴動する。
【００３６】
発振回路部４２は、３種類の発振周波数である低音、高音Ａ、高音Ｂの定数が設けられ、その切り替えは、アナログスイッチ４０、４１により行われる。この切り替え詳細については、図２で後述する。このいずれかの周波数でスピーカ８が鳴動する。
【００３７】
ＯＲゲート４５出力がＬｏｗでＯＲゲート４６出力がＨｉｇｈの場合は、デコーダ５２は、アナログスイッチ４９を接続状態にする。これにより、音源部１８の音響信号を入力とし、スピーカアンプ５０を通って、スピーカ８が鳴動する。
【００３８】
前述したように、セット電源が入っていない状態では、ハード動作許可Ｌ信号はＬｏｗレベルであり、ＡＮＤゲート３６が開ける状態になり、ハード制御部１０の単独動作が許可される。この状態で、警報ＳＷ７がオン操作されると、ＡＮＤゲート３６出力がＨｉｇｈとなり、ＯＲゲート４５出力とＯＲゲート４６出力が共にＨｉｇｈとなる。これにより、スピーカドライバ４７の発振回路が動作する。
【００３９】
この時、予鈴低音選択ＨはＬｏｗレベル、すなわち、アナログスイッチ４１は低音定数を非選択、すなわち、高音Ａと高音Ｂ定数が接続されたアナログスイッチ４０のコモン端子側を選択している。このアナログスイッチ４０は、発振器３４の点滅ｆデジタル信号のＬｏｗ／Ｈｉｇｈレベルにより、高音Ａと高音Ｂ定数が切り換わる。すなわち、スピーカドライバ４７の発振回路は、高音Ａと高音Ｂの発振周波数が点滅ｆで切り換わる警報アラーム音で、スピーカ８を鳴動させる。
【００４０】
このように、セット電源がオフ状態であっても、ユーザが警報ＳＷ７をオンにすると即座に、ハード制御部の単独動作により警報ランプと警報アラームを鳴動することができる。この場合の警報ランプは、点滅ｆ信号の２分周の点滅であり、警報アラームは、高音Ａと高音Ｂの発振周波数が点滅ｆで切り換わる警報アラーム音である。なお、点滅ｆの周波数が高い場合には、点滅ｆを更に分周した周波数でこの高音Ａと高音Ｂの切り換えを行ってもよい。
【００４１】
次に、セット電源のｏｎ／ｏｆｆ状態と警報ＳＷのｏｎ／ｏｆｆ状態の両者の組み合わせ毎に、各動作について説明する。  
図２は、本発明の実施例に係る携帯端末の関連部分のブロック図の状態を説明する図である。符号６１は、「セット電源ｏｆｆ、警報ＳＷｏｆｆ」の場合である。セット電源がｏｆｆなので、ソフト制御部９には電源が供給されず、入出力ポート出力は全てＬｏｗレベルである。ランプオンＨ信号がＬｏｗ（ランプオンの否定）なのでトランジスタ２１はオフとなる。一方、ハード制御部１０には常時、電源供給されており、警報ＳＷ検出Ｈ信号はＬｏｗ（警報ＳＷ検出の否定）なので、ＡＮＤゲート３６出力はＬｏｗ、ＡＮＤゲート３７出力もＬｏｗとなり、トランジスタ３８はオフとなる。したがって、ワイヤードＯＲ接続されたトランジスタ２１と３８が共にオフなので、警報ランプ５は消灯となる。
【００４２】
また、警報ＳＷ検出Ｈ信号がＬｏｗで、発振器３４はスリープ状態で消費電流を抑えている。  
また、入出力ポート出力の制御１、制御２信号が共にＬｏｗ、ＡＮＤゲート３６出力がＬｏｗなので、ＯＲゲート４５、４６出力は共にＬｏｗとなり、スピーカドライバ４７はシャットダウン状態となり、消費電流を抑えた状態となり、かつ、スピーカ８は鳴動しない。
【００４３】
次に、符号６２は、「セット電源ｏｆｆ、警報ＳＷｏｎ」の場合である。この状態での動作は、図１で詳しく説明したので、省略する。
【００４４】
次に、セット電源ｏｎの状態である符号６３「セット電源ｏｎ、警報ＳＷｏｆｆ」、符号６４「セット電源ｏｎ、警報ＳＷｏｎ、全警報」、符号６５「セット電源ｏｎ、警報ＳＷｏｎ、警報通信のみ」について、図３と合わせて説明する。
【００４５】
図３は、本発明の実施例に係る携帯端末のソフト制御部の動作フローチャートである。当然、セット電源ｏｎの状態である。セット電源がｏｎになった直後に、ＮＡＮＤ１５からＲＡＭ１６へ動作プログラムが数秒以上かけてロードされ、その間は、ソフトウェアは実行不可能である。この間、ソフトウェアによる入出力ポート１９の制御ができないので、入出力ポート１９の各ポートはハイインピーダンス状態であり、従って、ハード動作許可Ｌおよび制御１、制御２はＬｏｗレベルになり、ハード動作許可の状態にあり、ハード制御部１０の単独動作による警報ランプ点滅および警報アラームが許可された状態になる。
【００４６】
ロードが終了した後で、ＲＡＭ１６を主記憶メモリとしてＣＰＵによるソフトウェアが実行可能となり、図３のフローチャートがスタートする。  
ソフト制御部９は、まず、ハード動作許可ＬをＨｉｇｈにしてハード制御部１０の動作を禁止する（ステップＳ１）。これにより、ハード制御部１０のＡＮＤゲート３６をＬｏｗとして、トランジスタ３８がオフとなる。これにより、警報ランプの制御は、ランプオンＨにより制御されることになる。また、ＯＲゲート４５、４６の一方の入力がＬｏｗとなるので、スピーカドライバ４７の制御、すなわち警報アラームの制御は、制御１、制御２信号により行われることになる。
【００４７】
また、初期状態として、ランプオンＨをＬｏｗ（否定状態）にして、警報ランプ５を消灯状態にしておく。制御１、２を共にＬｏｗにして、スピーカドライバ４７をシャットダウンし、スピーカ８を停止状態にしておく（ステップＳ２）。
【００４８】
次に、ユーザによる警報ＳＷ操作をチェックする（ステップＳ３）。警報ＳＷ操作がＮＯならば、携帯端末の本来の処理である待ち受け処理やその他の処理待ちの状態となる(ステップＳ４)。
【００４９】
この状態は、図２の符号６３「セット電源ｏｎ、警報ＳＷｏｆｆ」の状態である。ステップＳ２の警報ランプ５の消灯、スピーカ８の停止が継続している。なお、ステップＳ４において、警報以外の本来の処理が可能であり、例えば、通常の携帯端末での通話、メール、音楽再生、ゲームなどが行われる。音楽再生の場合は、スピーカドライバ４７を増幅器状態にして、音源部１８の音源をスピーカで出力する。
【００５０】
また、ステップＳ４において、警報モードのユーザ設定を行うことができる。警報モードとして、警報ランプ、警報アラーム、警報通信がある。警報通信は、予め設定した相手、例えば、ユーザの家族に対して緊急の警報通信を行うものである。また、警報モードの種別選択も可能であり、警報ランプ、警報アラーム、警報通信の全警報を行うのか、警報通信のみを行うのかをユーザ設定できる。警報通信のみのモードは、ユーザの近くにいる犯罪者などに気付かれずに、こっそり警報通信を行うものである。
【００５１】
ステップＳ３で警報ＳＷが検出されると（ＹＥＳ）、この時点では、点線枠で示したように、ソフトウェアによらずに、ハード制御部１０の発振器３４は、警報ＳＷ７オンで点滅ｆの発振状態にすでになっている。
【００５２】
ソフト制御部９は、ステップＳ４で設定された警報モード種別をチェックする(ステップＳ５)。全警報モードであれば、これは、図２の符号６４「セット電源ｏｎ、警報ＳＷｏｎ、全警報」の状態である。まず、通信部１２を制御して、所定の警報通信を開始する（ステップＳ６）。警報ランプについては、ランプオンＨを適当な周期でオンオフを繰り返す。
【００５３】
警報アラームについては、まず、予鈴低音選択ＨをＨｉｇｈにして、発振回路部４２の低音を選択し（ステップＳ８）、制御１、制御２でスピーカドライバ４７を発振器に設定する（ステップＳ９）。この時点で、低音の警報アラームが鳴動開始する。
【００５４】
次に、低音開始から１．５秒後に、予鈴低音選択ＨをＬｏｗ（低音非選択）にする（ステップＳ１０）。この時点で、アナログスイッチ４０の選択端子には、発振器３４の点滅ｆがすでに発生しているので、スピーカドライバ４７は、高音Ａと高音Ｂの発振が点滅ｆで切り替わる状態となり、高音Ａと高音Ｂの切替えが点滅ｆで行われる警報アラームとして鳴動開始する。
【００５５】
予鈴として低音を短時間鳴動させる理由は、セット電源がオンの状態にあっては、警報操作を行う以前は、携帯端末を耳にあてて通常の通話などを行っている可能性があり、その時点で警報ＳＷが間違って操作されてしまうと、いきなり、高音Ａと高音Ｂの耳障りな音が耳に入る前に、耳にとって音感のよい低音を短時間予鈴として鳴らし、ユーザに気付かせるためである。このように、ソフトウェアの簡単な予鈴低音選択Ｈのタイマー処理により、予鈴を実行することができる。
【００５６】
以上の全警報の開始が行われると、警報ＳＷの状態をチェックし（ステップＳ１１）、警報ＳＷがオフ操作されると、全警報を停止する（ステップＳ１２）。
【００５７】
ステップＳ５において警報モード種別が警報通信モードのみであった場合は、これは、図２の符号６５「セット電源ｏｎ、警報ＳＷｏｎ、警報通信のみ」の状態である。警報通信開始のみを行う（ステップＳ１３）。警報ランプ、警報アラームについては、ステップＳ２による停止状態が継続している。そして、警報ＳＷのチェックへ移行する（ステップＳ１１）。
【００５８】
次に、図示しないが、セット電源ｏｆｆで警報スイッチがオン操作され、その後にセット電源ｏｎになった場合について説明する。まず、セット電源ｏｆｆで警報スイッチがオン操作されると（図２の符号６２）、図１で説明したように、ハード動作許可状態であり、ハード制御部１０により、即座に警報ランプ５とスピーカ８が警報を発する。
【００５９】
その状態でセット電源ｏｎとなると、直後の数秒〜１０数秒間は、プログラムのロード中であり、この間もハード動作許可状態であり、ハード制御部１０により、警報ランプ５とスピーカ８の警報が継続する。
【００６０】
そして、プログラムのロードが終了し、プログラムの実行がスタートすると、図３のフローチャートがスタートする。ステップＳ１、Ｓ２で一旦、瞬時だけハード動作を禁止するが、ステップＳ３の警報ＳＷ検出がＹＥＳ以降にすぐに進むので、ソフト制御部９による警報ランプ５とスピーカ８の警報が継続することになる。
【００６１】
次に、図示しないが、セット電源ｏｎで警報スイッチがオン操作され、その後にセット電源ｏｆｆになった場合について説明する。まず、ソフト制御部９が動作可能であり、図３のフローチャートにより、警報ランプ５とスピーカ８の警報が行われる。
【００６２】
その状態でセット電源ｏｆｆとなると、入出力ポート１９のポートが全てＬｏｗレベルとなってハード動作許可状態になり、即座に、ハード制御部１０により、警報ランプ５とスピーカ８の警報が継続することになる。  
このように、セット電源のｏｎ／ｏｆｆに対応して、ソフト制御部９とハード制御部１０の警報がスムーズに切り替わることができる。
【００６３】
なお、実施例では、警報ランプとスピーカの両方を搭載したが、そのどちらか一方であってもよい。警報ランプのみの制御の場合は、ソフト制御部９はハード動作許可Ｌ信号（請求項１のハード制御信号）によりハード制御部１０の動作を許可／禁止することができる。
【００６４】
スピーカのみで且つスピーカドライバ４７を発振機能のみとして使用する場合は、スピーカドライバ４７の発振のオン／オフ制御のみで済むので、ソフト制御部９のハード動作許可Ｌ、制御１、制御２の信号は１つのみでよい。また、スピーカのみで且つスピーカドライバ４７を発振機能と増幅機能の両方で使う場合は、発振／増幅／停止の制御が必要なので、ソフト制御部９のハード動作許可Ｌ、制御１、制御２の信号は、３本または、２本をデコードすればよい。
【００６５】
このように、ソフト制御部９がハード制御部１０を制御する対象に合わせて、適宜、ハード動作許可Ｌ、制御１、制御２の信号を備えればよいので、請求項２では、これらの信号をまとめてハード制御信号と定義する。また、請求項３では、さらに、予鈴低音選択Ｈまで含めてハード制御信号と定義する。
【００６６】
また、これらの制御信号によりハード制御部１０の中で許可／禁止状態を作り出すＡＮＤゲート、ＯＲゲートなどは、適宜、周知のセレクタ回路などに置き換えてもよい。
【００６７】
また、警報ランプは点滅させたが、点滅しない点灯のみであってもよい。  
また、ハード制御部１０へは、常時、電源供給を行ったが、常時電源２自体で警報ＳＷのオンを検出して、供給するようにしてもよい。
【００６８】
本発明の実施例によれば、通常の携帯端末が有するスピーカなどを防犯用として併用すると共に、セット電源がＯＦＦ状態では、ユーザが緊急用の防犯スイッチをＯＮにすると即座に警報音を発音することが可能となる。
【００６９】
なお、本発明の実施例において、携帯端末１００は、携帯電話機、ＰＤＡ、ＰＨＳ等のＣＰＵを備える機器に適用できる。
【図面の簡単な説明】
【００７０】
【図１】本発明の実施例に係る携帯端末の関連部分のブロック図。
【図２】本発明の実施例に係る携帯端末の関連部分のブロック図の状態を説明する図。
【図３】本発明の実施例に係る携帯端末のソフト制御部の動作フローチャート。
【符号の説明】
【００７１】
１  電池
２  常時電源
３  セット電源
４  セット電源ＳＷ
５  警報ランプ
６  抵抗
７  警報ＳＷ
８  スピーカ
９  ソフト制御部
１０  ハード制御部
１１  アンテナ
１２  通信部
１３  表示部
１４  入力部
１５  ＮＡＮＤ（ＮＡＮＤフラッシュメモリ）
１６  ＲＡＭ
１７  制御部
１８  音源部
１９  入出力ポート
２０  抵抗
２１  トランジスタ
３１  抵抗
３２  バッファゲート
３４  発振器
３５  分周回路
３６、３７  ＡＮＤゲート
３８  トランジスタ
３９  インバータゲート
４０、４１  アナログスイッチ
４２  発振回路部
４５、４６  ＯＲゲート
４７  スピーカドライバ
４８  アナログスイッチ
４９  アナログスイッチ
５０  スピーカアンプ
５２  デコーダ
１００  携帯端末
【図１】
2008205830.tif 000003
【図２】
2008205830.tif 000004
【図３】
2008205830.tif 000005